(57)【要約】 【構成】  遊技機内の基板や部品、検査装置に非接触ＩＤを取り付け、検査装置２のアンテナ８をかざしてＩＤを読み取り、マップに記憶した正規品のＩＤリストと照合する。マップに記憶されていないＩＤを検出すると、その旨警告する。【効果】  遊技場内の不正品の有無を簡単に検査できる。【選択図】    図１
2006314684.tif 000002
【特許請求の範囲】
【請求項１】
遊技機内に配置された非接触ＩＤを読み取るための手段と、
遊技機内の正規部品に取り付けられたＩＤを記憶するための手段と、
読み取ったＩＤが正規部品のＩＤとして記憶されているか否かを照合するための手段と、
照合結果を出力するための手段とを設けた、遊技機内の不正部品の検査装置。
【請求項２】
前記非接触ＩＤがＲＦＩＤタグで、前記読み取り手段ではＲＦＩＤタグの読み取り専用領域に記憶されたＲＦＩＤタグ自体のＩＤデータを読み取り、前記記憶手段では正規部品に取り付けられたＲＦＩＤタグ自体のＩＤデータを記憶するようにしたことを特徴とする、請求項１の遊技機内の不正部品の検査装置。
【請求項３】
読み取ったＩＤを記憶することにより、遊技場内のＩＤのリストを作成するための手段を設けたことを特徴とする、請求項１または２の遊技機内の不正部品の検査装置。
【請求項４】
記憶された正規部品のＩＤが読み取られない際に表示する手段を設けたことを特徴とする、請求項１〜３のいずれかの遊技機内の不正部品の検査装置。
【請求項５】
遊技場内の遊技機内の正規部品に非接触ＩＤを取り付けると共に、正規部品の非接触ＩＤのリストを記憶し、
前記非接触ＩＤを読み取るための手段と、読み取ったＩＤを前記リストにより照合するための手段と、照合結果を出力するための手段とを設けた検査装置により、不正部品の有無を検査するようにした、遊技機内の不正部品の検査システム。
【請求項６】
前記非接触ＩＤがＲＦＩＤタグで、前記読み取り手段ではＲＦＩＤタグの読み取り専用領域に記憶されたＲＦＩＤタグ自体のＩＤデータを読み取り、前記リストには正規部品に取り付けられたＲＦＩＤタグ自体のＩＤデータを記憶するようにしたことを特徴とする、請求項５の遊技機内の不正部品の検査システム。
【請求項７】
読み取ったＩＤを記憶することにより、遊技場内のＩＤのリストを作成するための手段を設けたことを特徴とする、請求項５または６の遊技機内の不正部品の検査システム。
【請求項８】
記憶された正規部品のＩＤが読み取られない際に表示する手段を設けたことを特徴とする、請求項５〜７のいずれかの遊技機内の不正部品の検査システム。
【発明の詳細な説明】
【技術分野】
【０００１】
この発明は、パチンコ台やスロットマシン内の不正部品の有無を検査することに関する。
【背景技術】
【０００２】
パチンコ台やスロットマシン等の遊技機には、マザーボードなどの基板や、部品類、不正検査装置などが内蔵されている。そこでこれらの基板や部品、検査装置等が不正品に差し替えられるのを防止もしくは検出する必要がある。ここで遊技機のカバーを開いて、基板や部品類、検査装置などをチェックすることは現実的ではない。
【発明の開示】
【発明が解決しようとする課題】
【０００３】
この発明の課題は、遊技機内に不正部品があるか否かを簡単に検査できるようにすることにある。
この発明での追加の課題は、不正部品を正規部品と偽ることを更に困難にすることにある。
この発明での追加の課題はまた、遊技場の新装開店時等に、実際に遊技機内に存在する正規部品のリストを簡単に作成できるようにすることにある。  
この発明での追加の課題はさらに、正規品が遊技機から取り外されたことを検出できるようにすることにある。
【課題を解決するための手段】
【０００４】
この発明の遊技機内の不正部品の検査装置は、遊技機内に配置された非接触ＩＤを読み取るための手段と、遊技機内の正規部品に取り付けられたＩＤを記憶するための手段と、読み取ったＩＤが正規部品のＩＤとして記憶されているか否かを照合するための手段と、照合結果を出力するための手段とを設けたものである。
【０００５】
この発明の遊技機内の不正部品の検査システムは、遊技場内の遊技機内の正規部品に非接触ＩＤを取り付けると共に、正規部品の非接触ＩＤのリストを記憶し、
前記非接触ＩＤを読み取るための手段と、読み取ったＩＤを前記リストにより照合するための手段と、照合結果を出力するための手段とを設けた検査装置により、不正部品の有無を検査するようにしたものである。
【０００６】
遊技機はパチンコ台やスロットマシンなどとし、正規部品や不正規部品は基板、部品類、検査装置や試験装置など、遊技機内に取り付けられた各種部品類が正規品か不正規品かを表すものとする。正規品や不正規品は、最初から遊技機に取り付けられていたものでも、後付のものでも良い。非接触ＩＤの種類は例えばＲＦＩＤタグとするが、非接触でカバーを開けずに遊技機外から読み取れるＩＤであればよい。
【０００７】
好ましくは、前記非接触ＩＤがＲＦＩＤタグで、前記読み取り手段ではＲＦＩＤタグの読み取り専用領域に記憶されたＲＦＩＤタグ自体のＩＤデータを読み取り、前記記憶手段では正規部品に取り付けられたＲＦＩＤタグ自体のＩＤデータを記憶する。なおここでＲＦＩＤタグはカード状のＲＦＩＤを含むものとし、タグの形態は問わない。
【０００８】
また好ましくは、読み取ったＩＤを記憶することにより、遊技場内のＩＤのリストを作成するための手段を設ける。この手段は例えば検査装置に設けるが、検査装置を管理するパーソナルコンピュータなどに設けても良い。
【０００９】
好ましくは、記憶された正規部品のＩＤが読み取られない際に表示する手段を設ける。例えばこの手段は、読み取られなかったＩＤが存在するので、読み取りを再度行うように表示する手段と、再読み取りをトライしたにもかかわらず読み取れなかったＩＤが存在する際に警告する手段などで構成する。
【発明の効果】
【００１０】
この発明では、遊技機内の部品のＩＤを非接触で読み取り、正規品のＩＤと照合して不正部品の有無を検査する。このため遊技場内の多数の遊技機に対して、カバーを開けずに簡単に不正部品の有無を検査できる。
【００１１】
ここで非接触ＩＤのＩＤデータとして、ＲＦＩＤの読み取り専用領域に記憶されたＲＦＩＤタグ自体のＩＤデータを読み取ると、ＩＤの書き換えが不可能なため、不正部品のＩＤタグに正規部品のＩＤを記憶させることが困難になり、不正部品の検査がより確実になる。
【００１２】
遊技場の新装開店時などに場内の遊技機内の非接触ＩＤを読み取ってリストを作成する手段を検査装置に設けると、実際に場内に存在するＩＤのリストを作成できる。例えばこの時点のリストが正規部品のＩＤのみからなるものとすると、以降の検査用のリストを簡単に作成できる。また納入業者等から渡された正規部品のＩＤのリストと照合すると、指定通りの正規部品が納入されたかどうかを検査できる。
【００１３】
例えばＩＤが何らかの意味でマップとして記憶されていると、マップ内に存在し、その周囲のＩＤを読み取ったにもかかわらず、読み取られなかったＩＤが存在することを検出できる。通常の場合これは、非接触ＩＤの読み取り範囲内に検査装置を移動させなかったなどの、単に読み取りを行わなかったと言うだけであろう。そこで必要であれば再読み取りを検査装置のオペレータに指示し、それにもかかわらず読み取られなかったＩＤが存在する、あるいはＩＤの読み取り範囲が広く、読み取られないことが有り得ないにもかかわらず、読み取られなかったＩＤが存在する等の場合、例えば警告する。すると正規部品が外されたこと自体を検出できる。
【発明を実施するための最良の形態】
【００１４】
以下に発明を実施するための最適実施例を示す。
【実施例】
【００１５】
図１〜図６に実施例を示す。図において、２は検査装置で、その本体部４はＣＰＵとＲＯＭやＲＡＭ並びに入出力やＥＥＰＲＯＭなどで構成され、読み取ったＩＤのリストを記憶するための検査ファイルや、マップ１８に記憶された正規品のＩＤと読み取ったＩＤとを照合するための照合部、及びマップ１８に記載されたＩＤが読み取られなかったことを検出するための不在検出部を備えている。６はＲＦ回路で、８はアンテナで、１０は電源としての電池で、１２は電源回路であり、１３は電源スイッチである。１４は読み取りスイッチで、ＩＤの読み取りを開始するためのスイッチで、例えばＩＤの読み取り毎にスイッチ１４をオンするようにしても、一旦スイッチ１４をオンすると、オフするまで連続してＩＤを読み取るようにしても良い。
【００１６】
１６はヒューマンインターフェースで、例えばＬＣＤなどの表示部とキーボード並びに表示用のＬＥＤなどで構成されている。１８はマップで、遊技場内の位置と対応付けて正規品のＩＤを記憶する。「位置と対応付けて」とは、遊技台の台毎にあるいは島毎にＩＤを記憶することや、近接した位置に存在するＩＤを互いに関連づけて記憶することなどをいう。２０は通信回路で、上位のコンピュータと通信し、例えば上位コンピュータから正規品のＩＤタグのＩＤリストを受信し、上位コンピュータに対しては、不正部品のＩＤなどを検出した場合に、そのＩＤなどの情報を送出する。
【００１７】
図２に検査装置２の外観を示すと、２１はＬＣＤで、読み取ったＩＤやＩＤに対応する基板や部品、検査装置などの物品の品番、物品の導入時期などを表示する。２２はキーボードで、例えばパスワードを入力すると、検査装置２は、遊技場内の正規品のＩＤのマップを作成するマップ作成モードへモードが変更される。さらにキーボード２２から遊技場内の位置を島番号や台番号、不正品の有無を検査する日時などを入力できる。２３，２４はＬＥＤで、赤色のＬＥＤ２３はマップ１８に無いＩＤを検出したことや、存在すべきＩＤを検出できなかったことなどを表示し、例えばＬＥＤ２３の連続点灯は不正品のＩＤを検出したことを表示し、点滅は読み取れなかったＩＤが存在することを表示する。緑のＬＥＤ２４は、マップ１８に対応した正規品のＩＤを読み取ったことを表示する。
【００１８】
２６はＲＦＩＤタグで、パチンコ台やスロットマシンの内側に取り付けられ、マザーボードなどの基板のＩＤ、あるいは各種の部品や検査装置、試験装置などに取り付けられたＩＤである。これらのＩＤは例えば封印シールにより基板やそのＩＣなどに取り付けられ、シールを外すと跡が残って検出できるようにしてある。またＲＦＩＤタグ２６やアンテナ８の読み取り範囲は例えば１０ｃｍ以下とし、複数のＩＤタグの間で混信が生じないようにすることが好ましい。
【００１９】
図３に遊技場のレイアウトを単純化して示すと、島３０に遊技台３２が複数配置され、遊技台３２の内部に基板や部品類、検査装置などのＩＤタグ２６が取り付けられている。好ましくはこれ以外に遊技台毎のＩＤタグを設けて、検査装置２がどの遊技台の前にいるのかを認識できるようにする。３４はホールコンピュータで、遊技場の全体を管理し、別体のＩＤ管理コンピュータ３６は遊技台３２に取り付けられたＩＤを管理する。そしてＩＤ管理コンピュータ３６にレイアウトマップ３７を設け、各遊技台に存在する正規品のＩＤやその品番、設置時期などを記憶する。
【００２０】
図４に示すように、ＲＦＩＤタグ２６の読み取り専用領域にはタグ自体のＩＤデータが記載されている。このＩＤデータはタグ２６の製造者が書き込んだもので、書換不能である。検査装置２はタグ自体のＩＤデータを読み取るので、タグのＩＤデータの偽造により不正品を見逃すことはない。なおＲＦＩＤタグ２６の書き込み可能領域に品番や設置時期その他適宜の情報を書き込んでもよい。
【００２１】
検査装置２では、照合手段３８によりマップ１８に記憶された正規品のＩＤと、読み取ったＩＤとを照合する。マップ１８は、ＩＤの位置（例えば遊技台の番号）やＩＤが付された部品などの品番、設置時期などを記憶し、照合結果と品番などをインターフェース１６に表示する。マップ１８上で周囲のＩＤが読み取られたにもかかわらず、読み取られていないＩＤが存在すると、不在検出手段４０で検出し、オペレータに報知するため、例えば赤色のＬＥＤ２３を点滅させ、好ましくは読み取られていないＩＤの位置をＬＣＤ２に表示する。オペレータはＩＤの読み取りをリトライし、所定回数続けて読み取りに失敗すると、正規品のＩＤが存在しないものとして扱う。この場合、例えばＬＣＤ２１に、品番名などと共にＩＤが検出できなかった旨を表示する。
【００２２】
検査装置でのＩＤの検査結果は検査ファイルに一旦記憶し、ＩＤ管理コンピュータ３６などに出力する。また検査モードでは、読み取ったＩＤとその位置とをレイアウトマップ３７に出力し、ＩＤリスト４２にＩＤと対応付けて記憶した品番や設置時期などの情報を付加するようにする。そしてレイアウトマップ３７から検査装置２のマップ１８に品番や設置時期などの情報を送出する。
【００２３】
図５にマップの作成アルゴリズムを示す。パスワードなどを入力して検査装置をマップ作成モードにセットし、各台自体のＩＤを読み取る。次いで台の内部の各部品のＩＤを読み取り、台のＩＤあるいは台番号と対応させて部品のＩＤをマップに記憶する。このようにして遊技場内の全遊技台のＩＤを検査する。作成したマップ１８のデータをＩＤ管理コンピュータへ送出し、ＩＤ管理コンピュータではＩＤリスト４２のＩＤと照合する。例えばＩＤリスト４２に納入業者などから渡されたＩＤのリストを記憶し、マップのデータと照合すると、ＩＤリスト４２と遊技場内の現実のＩＤとが一致するか否かを検出できる。
【００２４】
図６に検査モードでの動作を示すと、検査装置の電源をオンすると、装置は検査モードにセットされる。台毎に各部品のＩＤを読み取り、マップのＩＤと照合する。マップに記載されているＩＤであれば、ＩＤや品番などを表示し、検査ファイルに検査結果を記憶する。マップに記載されていないＩＤを検出した場合不正品として警告し、その旨を検査ファイルに記憶する。またマップに存在するにもかかわらず検出されなかったＩＤが存在する場合、所定回数読み取りに失敗すると、同様に検査ファイルに記憶する。得られた検査結果をＩＤ管理コンピュータへ送出する。
【００２５】
実施例では、マップを検査装置を用いて作成するものとしたが、マップではなく単なるＩＤのリストをＩＤ管理コンピュータから検査装置へ送出するようにしても良い。また正規品のＩＤが存在しないことの検出は省略しても良い。検査装置２のマップが盗まれ、遊技場の不正防止体制が解読される恐れを問題にする場合、パスワードを入力しないと検査装置２が起動しない、あるいはパスワードなしではマップのデータを読み出し不能にする、複数回続けてパスワードの入力に失敗すると検査装置２内のマップ等のデータを消去するようにすると良い。
【００２６】
実施例では以下の効果が得られる。
(1)  遊技機のカバーを開けずに、内部の部品が正規品かどうかを検査できる。
(2)  ＲＦＩＤタグのタグ自体のＩＤデータを用いるので、ＩＤが偽造されることがない。
(3)  遊技場内に存在するＩＤのマップを検査装置で作成できる。
(4)  正規品の抜き取りも検出できる。
【図面の簡単な説明】
【００２７】
【図１】実施例の検査装置のブロック図
【図２】実施例の検査装置の外観図
【図３】遊技場のレイアウトを簡単化して示す平面図
【図４】実施例でのＩＤタグからのデータの流れを示す図
【図５】ＩＤマップの作成時のアルゴリズムを示すフローチャート
【図６】不正品の検査時のアルゴリズムを示すフローチャート
【符号の説明】
【００２８】
２          検査装置
４          本体部
６          ＲＦ回路
８          アンテナ
１０        電池
１２        電源回路
１３        電源スイッチ
１４        読み取りスイッチ
１６        ヒューマンインターフェース
１８        マップ
２０        通信回路
２１        ＬＣＤ
２２        キーボード
２３，２４  ＬＥＤ
２６        ＲＦＩＤタグ
３０        島
３２        遊技台
３４        ホールコンピュータ
３６        ＩＤ管理コンピュータ
３７        レイアウトマップ
３８        照合手段
４０        不在検出手段
４２        ＩＤリスト      
【図１】
2006314684.tif 000003
【図２】
2006314684.tif 000004
【図３】
2006314684.tif 000005
【図４】
2006314684.tif 000006
【図５】
2006314684.tif 000007
【図６】
2006314684.tif 000008